(57)【要約】【課題】歌唱者が採点ランキングの中から自己のランキングを容易に見つけることを可能とするカラオケ装置を提供する。【解決手段】複数の歌唱者が行ったカラオケ歌唱の採点結果に基づく採点ランキングを取得する採点ランキング取得部と、取得した前記採点ランキングの一部を表示部に表示させる表示制御部と、前記採点ランキングの中から、ある歌唱者のランキングを検索するランキング検索部と、検索した前記ある歌唱者のランキングが表示されるように、前記採点ランキングの表示を切り替えるランキング表示切替部と、を有するカラオケ装置。【選択図】図５
2018112599.tif 000002
【特許請求の範囲】
【請求項１】
複数の歌唱者が行ったカラオケ歌唱の採点結果に基づく採点ランキングを取得する採点ランキング取得部と、
取得した前記採点ランキングの一部を表示部に表示させる表示制御部と、
前記採点ランキングの中から、ある歌唱者のランキングを検索するランキング検索部と、
検索した前記ある歌唱者のランキングが表示されるように、前記採点ランキングの表示を切り替えるランキング表示切替部と、
を有するカラオケ装置。
【請求項２】
前記ランキング表示切替部は、検索した前記ある歌唱者のランキングを他の歌唱者のランキングと識別可能な態様で表示させることを特徴とする請求項１記載のカラオケ装置。
【請求項３】
前記ランキング表示切替部は、検索した前記ランキングが複数ある場合、指示入力に基づいて、当該ランキングを順次表示させることを特徴とする請求項１または２記載のカラオケ装置。
【請求項４】
複数の歌唱者が行ったカラオケ歌唱の採点結果に基づく採点ランキングを取得する処理と、
取得した前記採点ランキングの一部を表示部に表示する処理と、
前記採点ランキングの中から、ある歌唱者のランキングを検索する処理と、
検索した前記ある歌唱者のランキングが表示されるように、前記採点ランキングの表示を切り替える処理と、
を有するランキング表示方法。
【請求項５】
コンピュータに、
複数の歌唱者が行ったカラオケ歌唱の採点結果に基づく採点ランキングを取得させ、
取得した前記採点ランキングの一部を前記コンピュータの表示部に表示させ、
前記採点ランキングの中から、ある歌唱者のランキングを検索させ、
検索した前記ある歌唱者のランキングが表示されるように、前記採点ランキングの表示を切り替えさせるランキング表示プログラム。
【請求項６】
前記採点ランキングの表示を切り替えた場合に、検索した前記ある歌唱者のランキングを他の歌唱者のランキングと識別可能な態様で表示させることを特徴とする請求項５記載のランキング表示プログラム。
【請求項７】
前記採点ランキングの表示を切り替える際に、検索した前記ランキングが複数ある場合、指示入力に基づいて、当該ランキングを順次表示させることを特徴とする請求項５または６記載のランキング表示プログラム。
【発明の詳細な説明】
【技術分野】
【０００１】
本発明はカラオケ装置、ランキング表示方法及びランキング表示プログラムに関する。
【背景技術】
【０００２】
カラオケ装置には、歌唱採点機能が設けられている。歌唱採点機能は、楽曲のカラオケ演奏に合わせてマイクから入力される歌唱音声を楽曲のリファレンスデータと比較し、音程や発音タイミングのずれに応じた採点結果（得点）を算出する機能である。
【０００３】
また、サーバ装置は、全国各地に設置されているカラオケ装置で算出された採点結果を取得し、たとえば楽曲毎の採点ランキングを作成することができる。
【０００４】
更に、特許文献１には、歌唱採点機能を備えたカラオケ装置において、ある楽曲の採点ランキング情報をサーバ装置から取り寄せつつ、ある楽曲のカラオケ歌唱を行い、当該カラオケ歌唱の最終的な採点結果をランキング情報中で表示させることにより、歌唱者が全体の採点ランキングの中で自己のランキングを把握できる技術が開示されている。
【先行技術文献】
【特許文献】
【０００５】
【特許文献１】特開２００５−９９２８８号公報
【発明の概要】
【発明が解決しようとする課題】
【０００６】
ここで上述の通り、採点ランキングは、全国各地に設置されているカラオケ装置で算出された採点結果に基づいて構成されているため、たとえば一の楽曲に対する採点ランキングには膨大な数の採点結果が含まれている。従って、ある歌唱者が採点ランキングの中から自己のランキングを見つけることは極めて困難である。
【０００７】
本発明の目的は、歌唱者が採点ランキングの中から自己のランキングを容易に見つけることを可能とするカラオケ装置、ランキング表示方法及びランキング表示プログラムを提供することにある。
【課題を解決するための手段】
【０００８】
上記目的を達成するための一の発明は、複数の歌唱者が行ったカラオケ歌唱の採点結果に基づく採点ランキングを取得する採点ランキング取得部と、取得した前記採点ランキングの一部を表示部に表示させる表示制御部と、前記採点ランキングの中から、ある歌唱者のランキングを検索するランキング検索部と、検索した前記ある歌唱者のランキングが表示されるように、前記採点ランキングの表示を切り替えるランキング表示切替部と、を有するカラオケ装置である。
また、上記目的を達成するための別の発明は、複数の歌唱者が行ったカラオケ歌唱の採点結果に基づく採点ランキングを取得する処理と、取得した前記採点ランキングの一部を表示部に表示する処理と、前記採点ランキングの中から、ある歌唱者のランキングを検索する処理と、検索した前記ある歌唱者のランキングが表示されるように、前記採点ランキングの表示を切り替える処理と、を有するランキング表示方法である。
また、上記目的を達成するための別の発明は、コンピュータに、複数の歌唱者が行ったカラオケ歌唱の採点結果に基づく採点ランキングを取得させ、取得した前記採点ランキングの一部を前記コンピュータの表示部に表示させ、前記採点ランキングの中から、ある歌唱者のランキングを検索させ、検索した前記ある歌唱者のランキングが表示されるように、前記採点ランキングの表示を切り替えさせるランキング表示プログラムである。
本発明の他の特徴については、後述する明細書及び図面の記載により明らかにする。
【発明の効果】
【０００９】
本発明によれば、歌唱者が採点ランキングの中から自己のランキングを容易に見つけることが可能となる。
【図面の簡単な説明】
【００１０】
【図１】実施形態に係るカラオケシステムの概略を示す図である。
【図２】実施形態に係るサーバ装置のハードウェア構成例を示す図である。
【図３】実施形態に係るサーバ装置に記憶される採点ランキングの例を示す図である。
【図４】実施形態に係るカラオケ装置のハードウェア構成例を示す図である。
【図５】実施形態に係るカラオケ装置のソフトウェア構成例を示す図である。
【図６Ａ】実施形態に係るカラオケ装置における表示画面を示す図である。
【図６Ｂ】実施形態に係るカラオケ装置における表示画面を示す図である。
【図６Ｃ】実施形態に係るカラオケ装置における表示画面を示す図である。
【図６Ｄ】実施形態に係るカラオケ装置における表示画面を示す図である。
【図６Ｅ】実施形態に係るカラオケ装置における表示画面を示す図である。
【図７】実施形態に係るカラオケ装置の処理を示すフローチャートである。
【発明を実施するための形態】
【００１１】
後述する明細書及び図面の記載から、上記の主たる発明の他、少なくとも以下の事項が明らかとなる。
【００１２】
すなわち、前記ランキング表示切替部が、検索した前記ある歌唱者のランキングを他の歌唱者のランキングと識別可能な態様で表示させるカラオケ装置が明らかとなる。このようなカラオケ装置によれば、歌唱者は自己のランキングをより見つけやすくなる。
【００１３】
また、前記ランキング表示切替部が、検索した前記ランキングが複数ある場合、指示入力に基づいて、当該ランキングを順次表示させるカラオケ装置が明らかとなる。このようなカラオケ装置によれば、歌唱者のランキングが採点ランキング中に複数含まれている場合であっても、当該歌唱者はそれぞれのランキングを容易に見つけることができる。
【００１４】
或いは、前記採点ランキングの表示を切り替えた場合に、検索した前記ある歌唱者のランキングを他の歌唱者のランキングと識別可能な態様で表示させるランキング表示プログラムが明らかとなる。このようなプログラムを実行することにより、歌唱者は自己のランキングをより見つけやすくなる。
【００１５】
また、前記採点ランキングの表示を切り替える際に、検索した前記ランキングが複数ある場合、指示入力に基づいて、当該ランキングを順次表示させるランキング表示プログラムが明らかとなる。このようなプログラムを実行することにより、歌唱者のランキングが採点ランキング中に複数含まれている場合であっても、当該歌唱者はそれぞれのランキングを容易に見つけることができる。
【００１６】
＜実施形態＞
図１〜図７を参照して、本実施形態に係るカラオケ装置、ランキング表示方法、及びランキング表示プログラムについて説明する。
【００１７】
＝＝システム＝＝
本実施形態に係るカラオケ装置は、カラオケシステム１に含まれる。図１に示すように、カラオケシステム１は、複数のカラオケ装置（カラオケ装置Ｋ１〜カラオケ装置Ｋｎ）、及びサーバ装置Ｓを備える。本実施形態に係るカラオケ装置は、たとえばカラオケ装置Ｋ１に相当する。各カラオケ装置とサーバ装置Ｓとは、ネットワークＮを介して通信可能となっている。ネットワークＮは、たとえば公衆電話回線網やインターネット回線である。
【００１８】
＝＝サーバ装置＝＝
サーバ装置Ｓは、カラオケ装置に関する各種情報を管理したり、カラオケ装置から送信される情報処理を行うコンピュータである。図２はサーバ装置Ｓのハードウェア構成例を示す図である。サーバ装置Ｓは、記憶部１０、通信部２０及び制御部３０を備える。
【００１９】
（記憶部）
記憶部１０は、各種のデータを記憶する大容量の記憶装置である。記憶部１０は、たとえば、カラオケ装置によりカラオケ演奏を行うための楽曲データ、歌詞テロップデータ、及び背景画像データ等を記憶する。各楽曲に対しては、固有の識別子（楽曲ＩＤ）が付与されている。サーバ装置Ｓから各カラオケ装置に対して楽曲データ等を配信することにより、各カラオケ装置において対応する楽曲のカラオケ演奏が可能となる。
【００２０】
また、記憶部１０は、各カラオケ装置から送信される歌唱履歴を記憶する。歌唱履歴は、カラオケ歌唱を行った楽曲名や歌手名、カラオケ歌唱を行った歌唱者を示すユーザーＩＤ、カラオケ歌唱の採点結果（得点）、カラオケ歌唱を行った日付等の情報を含む。歌唱履歴には、カラオケ歌唱を行った歌唱者に関する各種情報（年齢、性別等）が紐づけられていてもよい。
【００２１】
（通信部）
通信部２０は、サーバ装置Ｓと各カラオケ装置とを接続するためのインターフェースを提供する。
【００２２】
（制御部）
制御部３０は、サーバ装置Ｓにおける各種の制御を行う。制御部３０はＣＰＵおよびメモリ（いずれも図示無し）を備える。ＣＰＵは、メモリに記憶されたプログラムを実行することにより各種の機能を実現する。
【００２３】
本実施形態に係る制御部３０は、歌唱履歴から採点ランキングを作成することができる。
【００２４】
採点ランキングは、複数の歌唱者が行ったカラオケ歌唱の採点結果に基づくものである。採点ランキングは、少なくとも全体の順位及び各順位に相当する得点を得た歌唱者に対応するユーザーＩＤを含む。採点ランキングは、所定の基準に基づいて抽出された採点結果を良い順（得点の高い順）に並べたものである。所定の基準は、たとえば、楽曲名、歌手名、楽曲のジャンル、カラオケ歌唱が行われた地域、期間（日付）、年齢、性別、難易度、或いは全歌唱履歴である。なお、所定の基準は、いずれか一の基準（たとえば楽曲名）を用いてもよいし、複数の基準（楽曲名と年齢等）を組み合わせて用いてもよい。また、採点ランキングは、所定の基準を満たす全ての採点結果に基づいて作成されたものでもよいし、所定範囲（たとえば得点の高い方から上位１０００位）の採点結果に基づいて作成されたものでもよい。
【００２５】
一例として、楽曲Ａについての採点ランキングを作成する場合、制御部３０は、歌唱履歴の中から楽曲名として楽曲Ａを含む履歴を抽出する。そして、制御部３０は、抽出した歌唱履歴に含まれる採点結果を得点の高い順に並べることで、図３に示すようなテーブル形式の採点ランキングを作成する。図３の採点ランキングは、得点の高い方から上位９９９位までのランキングとなっている。また、図３の採点ランキングは、歌唱履歴に含まれる、ユーザーＩＤ、得点、及びカラオケ歌唱を行った日付の情報によって構成されている。
【００２６】
制御部３０によって作成された採点ランキングは、記憶部１０に記憶される。制御部３０は、カラオケ装置から所定の採点ランキングを送信するよう要求（詳細は後述）があった場合、記憶部１０から対応する採点ランキングを読み出し、通信部２０を介して当該カラオケ装置に送信する。
【００２７】
なお、採点ランキングを作成した後、新たな歌唱履歴がカラオケ装置から送信されてくる場合がある。この場合、制御部３０は適宜のタイミングで採点ランキングの更新処理を行う。たとえば、図３の採点ランキングを作成した後、楽曲Ａの歌唱履歴が新たに送信されてきた場合、制御部３０は、新たに送信された歌唱履歴に含まれる採点結果αと、楽曲Ａの採点ランキングに含まれる採点結果とを比較する。新たに送信された歌唱履歴に含まれる採点結果αが、採点ランキングの最後（９９９位）の採点結果βよりも高い場合には、採点結果αを採点ランキングに加えると共に、採点結果βを採点ランキングから削除する処理を行う。
【００２８】
また、本実施形態では予め採点ランキングを作成し、記憶部１０に記憶しておく例について述べたが、これに限られない。たとえば、カラオケ装置から所定の採点ランキングを送信するよう要求があった時点で、制御部３０は採点ランキングを作成することでもよい。
【００２９】
＝＝カラオケ装置＝＝
カラオケ装置は、カラオケ楽曲の演奏、及び歌唱者がカラオケ歌唱を行うための装置である。以下では、カラオケ装置Ｋ１について説明を行うが、他のカラオケ装置も同様の構成を備える。なお、各カラオケ装置は一般的なカラオケ装置が備える機能（たとえば、カラオケ歌唱を採点する歌唱採点機能等）を有する。また、それらの機能については公知の技術を用いることができる。
【００３０】
図４に示すように、カラオケ装置Ｋ１は、カラオケ本体４０、スピーカ５０、表示装置６０、マイク７０、及びリモコン装置８０を備える。
【００３１】
スピーカ５０はカラオケ本体４０からの放音信号に基づいて放音するための構成である。表示装置６０はカラオケ本体４０からの信号に基づいて映像や画像を画面に表示するための構成である。マイク７０は歌唱者の音声をカラオケ本体４０に入力するための構成である。リモコン装置８０は、カラオケ本体４０に対する各種操作をおこなうための装置である。歌唱者はリモコン装置８０を用いてカラオケ歌唱を希望する楽曲の選曲（予約）等を行うことができる。リモコン装置８０の表示画面には各種操作の指示入力を行うためのアイコン等が表示される。
【００３２】
カラオケ本体４０は、選択されたカラオケ楽曲の演奏制御、歌詞や背景映像等の表示制御、マイク７０を通じて入力された音声信号の処理といった、カラオケ歌唱に関する各種の制御を行う。
【００３３】
図４に示すように、カラオケ本体４０は、制御部４１、通信部４２、記憶部４３、音響処理部４４、表示処理部４５及び操作部４６を備える。各構成はインターフェース（図示なし）を介してバスＢに接続されている。
【００３４】
（制御部）
制御部４１は、カラオケ装置Ｋ１の各種処理を制御する。制御部４１は、ＣＰＵおよびメモリ（いずれも図示無し）を備える。ＣＰＵは、メモリに記憶された動作プログラムを実行することにより各種の制御機能を実現する。本実施形態に係る採点ランキング取得部４１ａ、表示制御部４１ｂ、ランキング検索部４１ｃ及びランキング表示切替部４１ｄは、制御部４１のＣＰＵがメモリに記憶されている動作プログラムを実行することにより実現される。
【００３５】
［採点ランキング取得部］
採点ランキング取得部４１ａは、複数の歌唱者が行ったカラオケ歌唱の採点結果に基づく採点ランキングを取得する。
【００３６】
具体例として、カラオケ装置Ｋ１を利用している歌唱者Ｘが、楽曲Ａについて自己のランキングを確認したいと考えたとする。この場合、歌唱者Ｘは、リモコン装置８０を介してカラオケシステム１にログインを行う。そして、リモコン装置８０の表示画面に表示された採点ランキング要求画面（図６Ａ参照）において、確認したいランキングを特定するための条件を入力する。この例では、楽曲Ａのランキングを確認したいため、プルダウンメニューから条件として「楽曲名」を選択し、具体的な楽曲名として「楽曲Ａ」を入力する（図６Ａ参照）。条件の入力が完了した後、歌唱者ＸがＯＫボタンを選択すると、採点ランキング取得部４１ａは、楽曲Ａの採点ランキングをサーバ装置Ｓに要求する。そして、採点ランキング取得部４１ａは、サーバ装置Ｓから送信された楽曲Ａの採点ランキングを取得する。
【００３７】
なお、この例では、採点ランキング取得部４１ａは、サーバ装置Ｓで作成された採点ランキングを取得する構成について述べたがこれに限られない。たとえば、図６Ａの採点ランキング要求画面において楽曲Ａが入力された場合、採点ランキング取得部４１ａは、サーバ装置Ｓに対して楽曲Ａの全歌唱履歴を要求する。そして、採点ランキング取得部４１ａは、サーバ装置Ｓから送信された楽曲Ａの歌唱履歴に基づいて、採点ランキングを作成することで、所定の採点ランキングを取得することも可能である。
【００３８】
［表示制御部］
表示制御部４１ｂは、表示処理部４５を制御し、カラオケ装置Ｋ１における各種表示制御を行わせる。たとえば、表示制御部４１ｂは、図６Ａに示した採点ランキング要求画面を表示させる。
【００３９】
また、本実施形態に係る表示制御部４１ｂは、取得した採点ランキングの一部を表示部に表示させる。
【００４０】
たとえば、採点ランキング取得部４１ａは、図３に示した楽曲Ａの採点ランキングを取得したとする。この採点ランキングには、１位から９９９位までのランキングが含まれている。ここで、表示装置６０やリモコン装置８０の表示画面サイズ等の問題から、一画面に全てのランキングを表示させることは一般的に困難である。
【００４１】
そこで、表示制御部４１ｂは、採点ランキングの一部をたとえば表示装置６０に表示させる。一回に表示させるランキングの数は予め所定の値を設定しておくことでもよいし、リモコン装置８０等を介し、任意の数を都度指定してもよい。図６Ｂは、取得した採点ランキングのうち、１位〜１０位までを表示装置６０の表示画面に表示した例（ランキング閲覧画面）を示す。図６Ｂでは、図３の採点ランキングに含まれる情報のうち、順位（ランキング）、ユーザーＩＤ、及び採点結果（得点）が表示されている。採点ランキングに含まれる情報のうち、どの情報を表示するかについても予め設定されていてもよいし、リモコン装置８０等を介し、都度指定してもよい。但し、ランキングを確認するためには少なくとも順位及びユーザーＩＤの情報が必要である。
【００４２】
また、図６Ｂに示すように、ランキング閲覧画面には、採点ランキングの種類（楽曲Ａの全国ランキングＴＯＰ９９９）、現在カラオケシステム１にログインしているユーザー名（歌唱者Ｘ）、及びランキング切り替え用のボタン（「ＭＹランク」ボタンＢ１」）が表示されている。表示装置６０またはリモコン装置８０は、「表示部」に相当する。
【００４３】
［ランキング検索部］
ランキング検索部４１ｃは、採点ランキングの中から、ある歌唱者のランキングを検索する。
【００４４】
ランキング検索部４１ｃは、採点ランキングの各ランキングに対応するユーザーＩＤと、ある歌唱者のユーザーＩＤとを比較することにより、複数のランキングの中から、ある歌唱者のランキングを検索する。ランキングの検索は、所定の指示入力に基づいて開始される。
【００４５】
たとえば、図６Ｂの例において、歌唱者ＸがＭＹランクボタンＢ１を押下したとする。この場合、ランキング検索部４１ｃは、採点ランキングの中から、歌唱者ＸのユーザーＩＤと一致するユーザーＩＤを含むランキングを検索する。この例では、ランキング検索部４１ｃは、ランキングとして２０２位、４３０位、９１２位を検索したとする。ランキング検索部４１ｃは、検索したランキングをランキング表示切替部４１ｄに出力する。
【００４６】
［ランキング表示切替部］
ランキング表示切替部４１ｄは、検索したある歌唱者のランキングが表示されるように、採点ランキングの表示を切り替える。
【００４７】
ランキング表示切替部４１ｄは、ランキング検索部４１ｃから入力されたランキングが表示されるよう採点ランキングの表示を切り替える。
【００４８】
たとえば、上述の通り、ランキングとして２０２位が検索された場合、ランキング表示切替部４１ｄは、図６Ｂの状態（１位〜１０位までのランキングが表示された状態）から、２０２位のランキングが表示されるように採点ランキングの表示を切り替える（図６Ｃ参照）。
【００４９】
なお、表示の切り替えを行う際、ランキング表示切替部４１ｄは、検索したある歌唱者のランキングを他の歌唱者のランキングと識別可能な態様で表示させることでもよい。
【００５０】
識別可能な態様は、たとえば、背景色や文字色の変更、検索したランキングに対してカーソルやマークを表示させる等である。図６Ｃの例では、検索したランキングの背景色が変更されている例をハッチングで示している。
【００５１】
また、ランキング表示切替部４１ｄは、検索したランキングが複数ある場合、指示入力に基づいて、当該ランキングを順次表示させることも可能である。
【００５２】
たとえば、上述の通り、ランクングとして２０２位、４３０位、９１２位が検索されたとする。この場合に、図６Ｃに示したランキング閲覧画面において、ＭＹランクボタンＢ２が選択された場合、ランキング表示切替部４１は、次のランク（４３０位）が表示されるように採点ランキングの表示を切り替える（図６Ｄ参照）。図６Ｄでは、ＭＹランクボタンＢ２の他にＭＹランクボタンＢ３も表示されている。
【００５３】
ＭＹランクボタンＢ２は、一のランキングが表示された状態において、その次のランキング（より順位の低いランキング）を表示させるためのアイコンであり、ＭＹランクボタンＢ３は、一のランキングが表示された状態において、その一つ前のランキング（より順位の高いランキング）を表示させるためのアイコンである。
【００５４】
すなわち、図６Ｄのランキング閲覧画面において、歌唱者ＸがＭＹランクボタンＢ２を選択すると、ランキング表示切替部４１ｄは、次のランキング（９１２位）が表示されるように切り替えを行う（図６Ｅ参照）。一方、図６Ｄのランキング閲覧画面において、歌唱者ＸがＭＹランクボタンＢ３を選択すると、ランキング表示切替部４１ｄは、一つ前のランキング（２０２位）が表示されるように切り替えを行う（この場合に表示される画面は図６Ｃと同様である）。
【００５５】
なお、検索されたランキングが一つしかない場合（たとえば、２０２位のみ）、図６ＣにおいてＭＹランクボタンＢ１は選択できないように表示されるか、ＭＹランクボタン自体が表示されないようになっている。同様に、上記例において、９１２位よりも低いランキングは検索されていない。この場合、ＭＹランクボタンＢ２は選択できないように表示されるか、表示自体がされないようになっている（図６Ｅでは、表示されない例を示している）。
【００５６】
また、上記例において、検索されたランキングがたとえば５位であった場合、最初に表示された採点ランキング（図６Ｂ参照）の中に、検索されたランキングが既に表示されている。この場合、ランキング表示切替部４１ｄは、採点ランキングの表示を切り替える処理を行わない。すなわち、本実施形態に係るランキング表示切替部４１ｄは、検索したある歌唱者のランキングが表示されていない場合に、採点ランキングの表示を切り替える処理を行う。なお、このような場合に、ランキング表示切替部４１ｄは、検索されたランキングの表示態様を変更することにより、他のランキングと識別しやすくすることが可能である。
【００５７】
（通信部）
通信部４２は、ルーター（図示なし）を介してカラオケ本体４０を通信回線に接続するためのインターフェースを提供する。
【００５８】
（記憶部）
記憶部４３は、各種のデータを記憶する大容量の記憶装置であり、たとえばハードディスクドライブなどである。記憶部４３は、カラオケ装置Ｋ１によりカラオケ演奏を行うための複数の楽曲データを記憶する。
【００５９】
（音響処理部、表示処理部、操作部）
音響処理部４４は、制御部４１の制御に基づき、カラオケ楽曲に対する演奏の制御およびマイク７０を通じて入力された歌唱音声信号の処理を行う。表示処理部４５は、制御部４１の制御に基づき、表示装置６０やリモコン装置８０における各種表示に関する処理を行う。操作部４６は、パネルスイッチおよびリモコン受信回路などからなり、歌唱者によるカラオケ装置Ｋ１のパネルスイッチあるいはリモコン装置８０の操作に応じて選曲信号、演奏中止信号などの操作信号を制御部４１に対して出力する。制御部４１は、操作部４６からの操作信号を検出し、対応する処理を実行する。
【００６０】
＝＝カラオケシステムにおける処理について＝＝
次に、図７を参照して本実施形態に係るカラオケ装置における処理の具体例について述べる。図７は、カラオケ装置における処理例を示すフローチャートである。この例では、サーバ装置Ｓの記憶部１０に楽曲Ａの採点ランキングが予め記憶されているとする。また、歌唱者Ｘは、楽曲Ａの採点ランキングにおける自己のランキングを確認したいと考えているとする。
【００６１】
歌唱者Ｘの指示入力に基づき、採点ランキング取得部４１ａは、サーバ装置Ｓに対し、楽曲Ａの採点ランキングの送信を要求し、サーバ装置Ｓから採点ランキングを取得する（採点ランキングの取得。ステップ１０）。
【００６２】
表示制御部４１ｂは、ステップ１０で取得した採点ランキングの一部を表示装置６０に表示する（採点ランキングの表示。ステップ１１）。
【００６３】
歌唱者Ｘの指示入力に基づき、ランキング検索部４１ｃは、ステップ１０で取得した採点ランキングの中から、歌唱者Ｘのランキングを検索する（ランキングの検索。ステップ１２）。
【００６４】
ランキング表示切替部４１ｄは、ステップ１２で検索した歌唱者Ｘのランキングが表示されるように、採点ランキングの表示を切り替える（採点ランキングの切り替え。ステップ１３）。
【００６５】
このように、本実施形態に係るカラオケ装置、ランキング表示方法によれば、採点ランキング中に含まれる自己のランキングを検索し、検索したランキングが表示されるように、採点ランキングの表示を切り替えることができる。また、本実施形態に係るランキング表示プログラムをカラオケ装置で実行することにより、採点ランキング中に含まれる自己のランキングを検索し、検索したランキングが表示されるように、採点ランキングの表示を切り替えることができる。従って、歌唱者は、膨大な数の採点ランキングの中から、自己のランキングを容易に見つけることができる。
【００６６】
すなわち、本実施形態に係るカラオケ装置、ランキング表示方法、及びランキング表示プログラムは、歌唱者が採点ランキングの中から自己のランキングを容易に見つけることを可能とする。
【００６７】
＜その他＞
なお、上記実施形態において、ランキング表示切替部４１ｄは、ランキング検索部４１ｃで検索されたランキングのみを表示させることでもよい。上記実施形態のように他の歌唱者のランキングと併せて自己のランキングを表示させることにより、採点ランキング全体における自己のランキングを把握し易くなる。一方、自己の採点ランキングのみを表示させることにより、歌唱者は自己のランキング同士の比較を容易に行うことができる。
【００６８】
また、上記実施形態では、カラオケシステム１にログインしている歌唱者が１名の例について述べたが、ログインしている歌唱者が複数いる場合であっても各歌唱者のランキングを検索・表示することが可能である。たとえば、図６Ａの条件入力を行う際に、ログインしている歌唱者Ｘ以外のユーザーＩＤを併せて入力することにより、当該ユーザーＩＤに相当する歌唱者のランキングを検索・表示することができる。或いは、図６Ｂ等に示したランキング閲覧画面でユーザーＩＤを入力する欄を設ける。そして、当該欄に任意のユーザーＩＤを入力することにより、当該ユーザーＩＤに対応するランキングを検索・表示することも可能である。
【００６９】
また、上記の処理を家庭用のゲーム機等、カラオケ装置以外の機器で実施することも可能である。たとえば、家庭用ゲーム機は、インターネット等を介して、専用のプログラムをダウンロード・実行することにより、自宅等でカラオケ歌唱を楽しむことを可能とするものがある。そこで、ランキング表示用のプログラムを家庭用ゲーム機でダウンロード・実行することにより、上記実施形態に係る処理と同様の処理を家庭用ゲーム機でも実行することができる。このようなカラオケ装置以外の機器は、本実施形態に係るカラオケ装置の一例である。
【００７０】
上記実施形態のランキング表示方法を実施するプログラムが記憶された非一時的なコンピュータ可読媒体（non-transitory computer readable medium with an executable program thereon）を用いて、コンピュータにプログラムを供給することも可能である。なお、非一時的なコンピュータの可読媒体の例は、磁気記録媒体（例えばフレキシブルディスク、磁気テープ、ハードディスクドライブ）、ＣＤ−ＲＯＭ（Read Only Memory）等がある。
【００７１】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００７２】
１  カラオケシステム
Ｋ１〜Ｋｎ  カラオケ装置
Ｓ  サーバ装置
４１  制御部
４１ａ  採点ランキング取得部
４１ｂ  表示制御部
４１ｃ  ランキング検索部
４１ｄ  ランキング表示切替部
【図１】
2018112599.tif 000003
【図２】
2018112599.tif 000004
【図３】
2018112599.tif 000005
【図４】
2018112599.tif 000006
【図５】
2018112599.tif 000007
【図６Ａ】
2018112599.tif 000008
【図６Ｂ】
2018112599.tif 000009
【図６Ｃ】
2018112599.tif 000010
【図６Ｄ】
2018112599.tif 000011
【図６Ｅ】
2018112599.tif 000012
【図７】
2018112599.tif 000013